(57)【要約】      （修正有）【課題】ホルダーに保持された手術用ガーゼの枚数を把握し易し、ホルダーに保持する手術用ガーゼの枚数を誤り難くするホルダーを提供する。【解決手段】ホルダー１はシート２にし、シートには切れ目３をサイコロの５の目の位置、正方形の四隅と中心の位置にそれぞれ設けた。切れ目は５個又は５の倍数個にした。各切れ目は、それぞれ、１枚のさばいた手術用ガーゼの端部を差し込んで留める１枚用の大きさにした。シートは、不織布、合成樹脂又は紙にし、１個の切れ目に２枚のさばいた手術用ガーゼの端部を入れると、その切れ目の端から破れる構成にした。また、シートは、長繊維が絡み合う構成にし、１個の切れ目に２枚のさばいた手術用ガーゼの端部を入れると、その切れ目の端から破れ、長繊維が切断されて、音が発生する構成にした。【選択図】図１
0003162077.tif 000002
【実用新案登録請求の範囲】
【請求項１】
ホルダーはシートにし、シートには切れ目を正方形の四隅と中心の各位置にそれぞれ設け、切れ目は５個又は５の倍数個にし、各切れ目は、それぞれ、１枚のさばいた手術用ガーゼの端部を差し込んで留める１枚用の大きさにしたことを特徴とする手術用ガーゼのホルダー。
【請求項２】
シートは、不織布、合成樹脂又は紙にし、１個の切れ目に２枚のさばいた手術用ガーゼの端部を入れると、その切れ目の端から破れる構成にしたことを特徴とする請求項１に記載の手術用ガーゼのホルダー。
【請求項３】
シートは、長繊維が絡み合う構成にし、１個の切れ目に２枚のさばいた手術用ガーゼの端部を入れると、その切れ目の端から破れ、長繊維が切断されて、音が発生する構成にしたことを特徴とする請求項１又は２に記載の手術用ガーゼのホルダー。
【請求項４】
切れ目は、十字形状又はＹ字形状にしたことを特徴とする請求項１、２又は３に記載の手術用ガーゼのホルダー。
【請求項５】
請求項１〜４のいずれかに記載の手術用ガーゼのホルダーは、各切れ目に、それぞれ、１枚のさばいた手術用ガーゼの端部を差し込んで留め、５枚又は５の倍数枚の手術用ガーゼを１枚又は複数枚のホルダーに保持した状態で１枚の包装袋に封入して滅菌したことを特徴とする手術用ガーゼの包装体。
【考案の詳細な説明】
【技術分野】
【０００１】
本考案は、手術用ガーゼを保持するホルダーとその手術用ガーゼの包装体に関する。
【背景技術】
【０００２】
患者に出血を伴う手術を行うときは、手術前に多数の手術用ガーゼを用意し、その手術用ガーゼの枚数を数える。手術中、使用済の手術用ガーゼは、廃棄せずに保存する。手術後、使用済の手術用ガーゼの枚数を数える。手術用ガーゼは、手術前に数えた未使用の枚数と手術後に数えた使用済の枚数に基いて、患者の体内に残っているか否かを判断する。
【０００３】
手術用ガーゼは、３０ｃｍ角の正方形状のガーゼで、Ｘ線造影糸を付けている。正方形状の未使用手術用ガーゼは、一方の対角線方向に延ばして棒状にする。即ち、さばく。さばいた手術用ガーゼは、所定数をホルダーに保持し、これを包装袋に封入して滅菌している。
【０００４】
特許文献１の技術では、ホルダーは、横長長方形の合成樹脂板にしている。合成樹脂板は、くり抜き孔を貫通している。くり抜き孔は、１０個を左右の横方向に等間隔に配列している。合成樹脂板の板面は、くり抜き孔の上側位置に、左から右に通し番号、１、２、３、…、１０を表示している。各くり抜き孔には、それぞれ、さばいた手術用ガーゼの一端側を差し込んで留めている。
【先行技術文献】
【特許文献】
【０００５】
【特許文献１】特開２００７−３３０４４５号公報
【考案の概要】
【考案が解決しようとする課題】
【０００６】
［課  題］
上記のような手術用ガーゼのホルダーは、手術用ガーゼの枚数を把握するとき、くり抜き孔上側の通し番号を読み取る。通し番号を読み取る手間が掛かる。数字を読み誤ることがある。ホルダーに保持された手術用ガーゼの枚数を把握し易いとは言い難い。
また、ホルダーは、製作時、合成樹脂板に通し番号を表示する手間が掛かる。
また、ホルダーの合成樹脂板は、くり抜き孔を打ち抜く時、打ち抜き片が分離せずに残ることがある。打ち抜き片は、ホルダーに残ると、手術用ガーゼに付着して患者の体内に持ち込まれる危険がある。
【０００７】
［着  想］
ホルダーに保持された手術用ガーゼの枚数を把握するに当たり、サイコロに着目した。サイコロは、立方体の６面に、目と言われる１〜６個の小円を独自のパターンで配列している。例えば、５の目は、５個の小円を正方形の四隅と中心の位置に配置している。これを読み取る人は、小円の数を数えるのではなく、小円の配置、パターンを見て５の目であることを直ちに把握する。サイコロの目は、一目瞭然である。
【０００８】
そこで、ホルダーは、サイコロの５の目の位置、正方形の四隅と中心の位置に、それぞれ、手術用ガーゼの端部を留めることにした。すると、ホルダーの面には、正方形の四隅と中心の位置、５個所にそれぞれ手術用ガーゼの端部が位置する。これを見ると、手術用ガーゼの端部がサイコロの５の目と同じ配置であり、手術用ガーゼが５枚であることが直ちに判る。
また、打ち抜き片が患者の体内に持ち込まれる危険を避けるため、手術用ガーゼを差し込んで留めるに当たり、面状のくり抜き孔ではなく、線状の切れ目を用いることにした。切れ目を貫通しても、打ち抜き片が発生しない。
【０００９】
具体的には、ホルダーはシートにし、シートに切れ目を正方形の四隅と中心の各位置にそれぞれ設ける。切れ目は５個又は５の倍数個にする。切れ目には、さばいた手術用ガーゼの端部を差し込んで留める。
切れ目は、１枚用の大きさにする。１枚のさばいた手術用ガーゼの端部が入るが、２枚のさばいた手術用ガーゼの端部は入らない大きさにする。
【００１０】
シートの材質は、不織布、合成樹脂や紙が例示される。切れ目の形状は、十字形状やＹ字形状が例示される。
シートは、１個の切れ目に２枚のさばいた手術用ガーゼの端部を無理に入れると、その切れ目の端から破れる。シートの破断が警告になる。シートの破断で、１個の切れ目に入れた手術用ガーゼが２枚であることが判る。１個の切れ目に２枚の手術用ガーゼを入れる誤りが生じ難い。
【００１１】
シートの材質は、長繊維が絡み合う構成の不織布や紙にする。このような構成にした場合、１個の切れ目に２枚のさばいた手術用ガーゼの端部を無理に入れると、シートが切れ目の端から破れ、長繊維が切断されて、音が発生する。音の発生も警告になる。シートの破断のみならず、音の発生によっても、１個の切れ目に入れた手術用ガーゼが２枚であることが判明する。
【課題を解決するための手段】
【００１２】
１．ホルダーはシートにし、シートには切れ目を正方形の四隅と中心の各位置にそれぞれ設け、切れ目は５個又は５の倍数個にし、各切れ目は、それぞれ、１枚のさばいた手術用ガーゼの端部を差し込んで留める１枚用の大きさにしたことを特徴とする手術用ガーゼのホルダー。
２．上記の手術用ガーゼのホルダーにおいて、
シートは、不織布、合成樹脂又は紙にし、１個の切れ目に２枚のさばいた手術用ガーゼの端部を入れると、その切れ目の端から破れる構成にしたことを特徴とする。
３．上記の手術用ガーゼのホルダーにおいて、
シートは、長繊維が絡み合う構成にし、１個の切れ目に２枚のさばいた手術用ガーゼの端部を入れると、その切れ目の端から破れ、長繊維が切断されて、音が発生する構成にしたことを特徴とする。
４．上記の手術用ガーゼのホルダーにおいて、
切れ目は、十字形状又はＹ字形状にしたことを特徴とする。
５．上記の手術用ガーゼのホルダーは、各切れ目に、それぞれ、１枚のさばいた手術用ガーゼの端部を差し込んで留め、５枚又は５の倍数枚の手術用ガーゼを１枚又は複数枚のホルダーに保持した状態で１枚の包装袋に封入して滅菌したことを特徴とする手術用ガーゼの包装体。
【考案の効果】
【００１３】
ホルダーは、５枚の手術用ガーゼの端部を正方形の四隅と中心の位置、サイコロの５の目の位置に配置する。その５枚の手術用ガーゼは、５枚であることが直ちに判る。ホルダーに保持された手術用ガーゼの枚数を把握し易い。
【００１４】
また、ホルダーは、１個の切れ目に２枚のさばいた手術用ガーゼの端部を入れると、その切れ目の端から破れる。音が発生する。１個の切れ目に２枚の手術用ガーゼを入れる誤りが生じ難い。ホルダーに保持する手術用ガーゼの枚数を誤り難い。
【図面の簡単な説明】
【００１５】
【図１】本考案の実施形態の第１例における手術用ガーゼのホルダーの正面図。
【図２】同手術用ガーゼのホルダーの側面図。
【図３】同ホルダーにさばいた手術用ガーゼを保持した状態の部分正面図。
【図４】同ホルダーにさばいた手術用ガーゼを保持した状態の部分側面図。
【図５】同ホルダーにさばいた手術用ガーゼを保持した状態の部分背面図。
【図６】同ホルダーにさばいた手術用ガーゼを保持した状態で包装袋に封入した包装体の正面図。
【図７】同包装体の包装袋を縦断した状態の部分縦断側面図。
【図８】実施形態の第２例における手術用ガーゼのホルダーの正面図。
【図９】同ホルダーにさばいた手術用ガーゼを保持した状態の部分正面図。
【図１０】同ホルダーにさばいた手術用ガーゼを保持した状態で包装袋に封入した包装体の正面図。
【考案を実施するための形態】
【００１６】
［第１例（図１〜図７参照）］
本例の手術用ガーゼのホルダー１は、図１と図２に示すように、正方形状の不織布のシート２にしている。この不織布は、長繊維が絡み合って構成している。具体例では、シート２の不織布は、高密度ポリエチレンの連続性極細長繊維を加熱加圧して結合している。シート２の大きさは、約８〜１２ｃｍ角で、厚さを約０．１〜０．５ｍｍにしている。
【００１７】
正方形状のシート２は、同心の正方形の四隅と中心の位置、５個所にそれぞれ切れ目３を設けている。切れ目３の形状は、十字形状にしている。また、切れ目３の大きさは、１枚のさばいた手術用ガーゼ４の端部を差し入れて留める１枚用の大きさにしている。なお、シート２は、手術用ガーゼ４の枚数を示す通し番号や数字を表示していない。
【００１８】
手術用ガーゼ４は、３０ｃｍ角の正方形状の綿織物にし、Ｘ線造影糸を縫い付けている。正方形状の未使用の手術用ガーゼ４は、一方の対角線方向に延ばして棒状にし、さばいた状態にする。さばいた手術用ガーゼ４は、一端から全長の四分の一位の長さのところを折り曲げ、折り曲げ端の端部をホルダー１の切れ目３に差し込んで留める。
【００１９】
ホルダー１の各切れ目３は、それぞれ、１枚のさばいた手術用ガーゼ４の端部が入るが、２枚のさばいた手術用ガーゼの端部は入らない１枚用の大きさにしている。１個の切れ目３に２枚のさばいた手術用ガーゼ４の端部を無理に入れると、シート２は、その十字形状の切れ目３の端から破れる。更に、シート２の不織布の長繊維が切断されて音が発生する。１個の切れ目３に２枚の手術用ガーゼ４を入れると、シート２の破断と音の発生で、２枚である旨の警告を発する。
【００２０】
ホルダー１は、図３〜図５に示すように、５個の切れ目３にそれぞれ１枚のさばいた手術用ガーゼ４の端部をシート２の裏面側から差し込んで留める。すると、シート２の表面には、図３と図４に示すように、５枚の手術用ガーゼ４の端部が突出してサイコロの５の目の位置に並ぶ。これを見ると、ホルダー１に保持された手術用ガーゼ４が５枚であることが直ちに判る。一目瞭然である。
【００２１】
ホルダー１に保持された手術用ガーゼ４は、ホルダー１から取り外すときは、ホルダー１から垂れ下がった部分を手で掴んで引っ張り、上端の端部を切れ目３から抜き取る。
【００２２】
本例の手術用ガーゼの包装体は、図６に示すように、包装袋６を扁平な正方形状又は長方形状の袋にしている。包装袋６は、表側面７を合成樹脂フイルムにし、裏側面８を不織布にしている。表側面７の合成樹脂フイルムは、透明にし、袋の内部を透視可能にしている。裏側面８の不織布は、各種の滅菌方法に適合した滅菌包材の不織布にしている。
【００２３】
方形状の包装袋６は、図６と図７に示すように、表側面７の透明合成樹脂フイルムと裏側面８の不織布を重ねて周囲の側辺部を溶着してシールしている。内部には、５枚の手術用ガーゼ４を保持したホルダー１を２枚左右に並べて配列している。包装袋６は、左右５枚ずつ合計１０枚のさばいた手術用ガーゼ４を収納している。左右の両ホルダー１の表面は、表側面７の透明合成樹脂フイルムに対面している。左右の各ホルダー１の表面に突出した５枚の手術用ガーゼ４の端部は、それぞれ、表側面７の透明合成樹脂フイルムに接し、透明合成樹脂フイルム７を透かして外部から見ることができる。包装袋６内の手術用ガーゼ４は、左側に５枚あり、右側に５枚あり、合計で１０枚あることが直ちに判る。
【００２４】
ホルダー１に上端を保持された手術用ガーゼ４は、下部を裏側に折り返し、折り返し部分を裏側面８の滅菌包材の不織布に接している。包装袋６は、１０枚のさばいた手術用ガーゼ４を封入して滅菌している。
【００２５】
［第２例（図８〜図１０参照）］
本例の手術用ガーゼのホルダー１１は、図８に示すように、横長の長方形状の不織布のシート１２にしている。この不織布は、第１例におけるシート１の不織布と同一にしている。シート１２の大きさは、第１例における正方形状のシート１を２枚左右に並べた大きさにし、厚さを第１例におけるシート１と同一にしている。
【００２６】
横長の長方形状のシート１２は、左半分と右半分において、それぞれ、同心の正方形の四隅と中心の各位置に切れ目１３を設けている。切れ目１３の形状と大きさは、第１例における切れ目３のそれらと同一にしている。ホルダー１１は、左右５個ずつ合計１０個の切れ目１３を設けている。
【００２７】
手術用ガーゼ４は、第１例におけるのと同一にしている。さばいた手術用ガーゼ４は、一端から全長の四分の一位の長さのところを折り曲げ、折り曲げ端の端部をホルダー１１の切れ目１３に差し込んで留める。
【００２８】
各切れ目１３は、それぞれ、１枚のさばいた手術用ガーゼ４の端部が入るが、２枚のさばいた手術用ガーゼの端部は入らない１枚用の大きさにしている。１個の切れ目１３に２枚のさばいた手術用ガーゼ４の端部を無理に入れると、シート１２は、その十字形状の切れ目１３の端から破れ、音が発生する。シート１２の破断と音の発生で、２枚である旨の警告を発する。
【００２９】
ホルダー１１は、１０個の切れ目１３にそれぞれ１枚のさばいた手術用ガーゼ４の端部をシート１２の裏面側から差し込んで留める。すると、シート１２の表面は、図９に示すように、左半分と右半分に、それぞれ、５枚の手術用ガーゼ４の端部が突出してサイコロの５の目の位置に並ぶ。これを見ると、ホルダー１１に保持された手術用ガーゼ４が左右５枚ずつであって合計１０枚であることが直ちに判る。一目瞭然である。
【００３０】
本例の手術用ガーゼの包装体は、包装袋６を第１例におけるのと同様にしている。包装袋６は、図１０に示すように、１０枚の手術用ガーゼ４を保持した１枚のホルダー１１を収納している。ホルダー１１の表面は、表側面７の透明合成樹脂フイルムに対面している。ホルダー１１の表面に突出した１０枚の手術用ガーゼ４の端部は、表側面７の透明合成樹脂フイルムに接し、透明合成樹脂フイルム７を透かして外部から見ることができる。包装袋６内の手術用ガーゼ４が１０枚であることが直ちに判る。
【００３１】
ホルダー１１に上端を保持された手術用ガーゼ４は、下部を裏側に折り返し、折り返し部分を裏側面８の滅菌包材の不織布に接している。包装袋６は、１０枚のさばいた手術用ガーゼ４を封入して滅菌している。
その他の点は、第１例におけるのと同様である。
【００３２】
［変形例］
１．上記の実施形態において、シート２、１２は、不織布にしているが、合成樹脂シート又は紙にする。
２．上記の実施形態において、切れ目３、１３は、十字形状にしているが、Ｙ字形状にする。
３．上記の実施形態において、１枚のシート２、１２に設ける切れ目３、１３の数は、５個又は１０個にしているが、５の倍数にする。
【符号の説明】
【００３３】
１  ホルダー
２  シート、不織布、長繊維が絡み合う構成の不織布
３  切れ目、十字形状の切れ目
４  手術用ガーゼ、未使用の手術用ガーゼ、さばいた手術用ガーゼ
６  包装袋
７  表側面、透明合成樹脂フイルム
８  裏側面、滅菌包材の不織布
１１  ホルダー
１２  シート、不織布、長繊維が絡み合う構成の不織布
１３  切れ目、十字形状の切れ目
【図１】
0003162077.tif 000003
【図２】
0003162077.tif 000004
【図３】
0003162077.tif 000005
【図４】
0003162077.tif 000006
【図５】
0003162077.tif 000007
【図６】
0003162077.tif 000008
【図７】
0003162077.tif 000009
【図８】
0003162077.tif 000010
【図９】
0003162077.tif 000011
【図１０】
0003162077.tif 000012